(57)【特許請求の範囲】
【請求項１】
複数の受光ピクセルに所定配列のカラーフィルタが設けられて成る受光領域を有する撮像デバイスのラインノイズ除去方法において、
前記受光領域又は前記受光領域の内の特定領域に存在する複数の受光ピクセルについて、感光特性のほぼ等しい受光ピクセル同士から成る複数グループに区分化し、
前記受光ピクセルから出力される信号の加算平均値を前記各グループ毎に求め、
前記グループの内の特定グループについて求められた特定の加算平均値を基準にして、残余の前記各グループについて求められた前記加算平均値との比をラインクロール補正係数として予め求めて記憶しておき、
前記残余の各グループに該当する受光ピクセルより出力される信号を、前記ラインクロール補正係数に基づいて補正することを特徴とする撮像デバイスのラインノイズ除去方法。
【請求項２】
複数の受光ピクセルに所定配列のカラーフィルタが設けられて成る受光領域を有する撮像デバイスのラインノイズ除去装置において、
前記受光領域又は前記受光領域の内の特定領域に存在する複数の受光ピクセルについて、感光特性のほぼ等しい受光ピクセル同士から成る複数グループに区分化し、前記受光ピクセルから出力される信号の加算平均値を前記各グループ毎に求め、前記グループの内の特定グループについて求められた特定の加算平均値を基準にして残余の前記各グループについて求められた前記加算平均値との比をラインクロール補正係数としたデータを予め記憶する記憶手段と、
前記撮像デバイスによる実際の撮像に際して出力される信号について、前記記憶手段のラインクロール補正係数に基づいて補正する演算手段と、
を具備することを特徴とする撮像デバイスのラインクロール除去装置。
【発明の詳細な説明】
【０００１】
【発明の属する技術分野】
本発明は、撮像デバイスにおいて発生するラインノイズを除去する方法、及びそれを用いたラインノイズ除去装置に関する。
【０００２】
【従来の技術】
近年の電子撮像機器にあっては、機器の小型化や軽量化等を図る上で優れた効果を発揮する電荷結合型固体撮像デバイスやＭＯＳ型固体撮像デバイス等の半導体撮像デバイスが用いられている。
【０００３】
かかる撮像デバイスは、光電変換機能を有する多数の受光ピクセルがマトリックス状に配列されると共に、夫々の受光ピクセルの受光面に例えばベイヤー配列のカラーフィルタ等が設けられ、かかるカラーフィルタを通過した被写体光像を前記多数の受光ピクセルにて光電変換することによって、カラー撮像を可能にしている。
【０００４】
【発明が解決しようとする課題】
しかし、前記各受光ピクセルに対応して設けられる夫々の微細なカラーフィルタの光透過波長特性が異なることから、たとえ無模様且つ一色の被写体を撮像した場合であっても、各受光ピクセルから出力される信号のレベルが異なるため、再生画像中に前記レベルの相違に起因する縞模様が発生して、色再現性を低下させるという問題がある。
【０００５】
更にかかる問題点を詳述する。前記カラーフィルタを除いた多数の受光ピクセルの各受光ピクセルの感光特性（光電変換特性）が均一であれば、無模様且つ一色の被写体を撮像した場合には、各受光ピクセルから出力される信号のレベルは本来的に一定になる。しかし、カラー撮像デバイスにあっては、例えば、赤（Ｒ）と緑（Ｇ）と青（Ｂ）の微細カラーフィルタ群から成る原色ベイヤー配列のカラーフィルタが前記多数の受光ピクセルの受光面に設けられており、特に赤（Ｒ）の微細カラーフィルタを通過する長波長光が受光ピクセルの深部まで達することから、その深部において発生したピクセル電荷が、隣接する他の受光ピクセルに漏洩などしてノイズとなり、青（Ｂ）や緑（Ｇ）の微細カラーフィルタの設けられた受光ピクセルに発生したピクセル電荷に混入等し、たとえ無模様且つ一色の被写体を撮像した場合であっても、実質的に各受光ピクセルの感光特性が不均一になり、再生画像が無模様且つ一色にはならない。
【０００６】
かかる現象に起因して、再生画像中に横縞状のすじが現れるラインクロールが大きな問題となる。特に、静止画撮像の場合にこのラインクロールが顕著に視認識されることから大きな問題点となっている。
【０００７】
また、かかる現象は、原色ベイヤー配列のカラーフィルタに限られず、他のカラー配列のカラーフィルタにおいても発生する。
【０００８】
更に、かかる現象に起因して実質的に受光ピクセルの感光特性が不均一となっている状態で、再生画像の画質向上を図るための輪郭強調処理等を行っても、期待し得るような画質向上が得られないという問題があった。
【０００９】
【課題を解決するための手段】
このような目的を達成するために本発明は、複数の受光ピクセルに所定配列のカラーフィルタが設けられて成る受光領域を有する撮像デバイスのラインノイズ除去方法において、前記受光領域又は前記受光領域の内の特定領域に存在する複数の受光ピクセルについて、感光特性のほぼ等しい受光ピクセル同士から成る複数グループに区分化し、前記受光ピクセルから出力される信号の加算平均値を前記各グループ毎に求め、前記グループの内の特定グループについて求められた特定の加算平均値を基準にして、残余の前記各グループについて求められた前記加算平均値との比をラインクロール補正係数として予め求めて記憶しておき、前記残余の各グループに該当する受光ピクセルより出力される信号を、前記ラインクロール補正係数に基づいて補正することとした。
【００１０】
また、複数の受光ピクセルに所定配列のカラーフィルタが設けられて成る受光領域を有する撮像デバイスのラインノイズ除去装置において、前記受光領域又は前記受光領域の内の特定領域に存在する複数の受光ピクセルについて、感光特性のほぼ等しい受光ピクセル同士から成る複数グループに区分化し、前記受光ピクセルから出力される信号の加算平均値を前記各グループ毎に求め、前記グループの内の特定グループについて求められた特定の加算平均値を基準にして残余の前記各グループについて求められた前記加算平均値との比をラインクロール補正係数としたデータを予め記憶する記憶手段と、前記撮像デバイスによる実際の撮像に際して出力される信号について、前記記憶手段のラインクロール補正係数に基づいて補正する演算手段とを具備する構成とした。
【００１１】
【発明の実施の形態】
（第１の実施の形態）
本発明の撮像デバイスのラインノイズ除去装置に係る一実施の形態として、静止画撮影を行う電子スチルカメラに適用した場合について説明する。
【００１２】
図１は、電子スチルカメラの全体構成を概略的に示すブロック図である。同図において、２次元カラー固体撮像デバイス（以下、カラーＣＣＤと言う）２の出力接点には、サンプルホールド回路４とＡ／Ｄ変換器６が順次に直列接続され、Ａ／Ｄ変換器６の出力接点には、少なくとも１フレーム画像分のデータを記憶する所謂ＳＲＡＭ等から成る画像メモリ８が接続されると共に、画像メモリ８の出力接点には、マイクロプロセッサ（ＭＰＵ）等を備えた演算部１２が接続されている。更に、演算部１２には、後述するラインクロール除去処理において用いられるラインクロール補正係数を予め記憶した不揮発性メモリ１０と、ラインクロール除去処理用のプログラムを予め記憶したプログラムメモリ１４が接続されている。
【００１３】
かかる構成において、図示しないシャッタレリーズボタンが押下されるのに連動して、カラーＣＣＤ２の受光領域に設けられている多数の受光ピクセルが１フレーム画相当の静止画を２次元撮像すると共に、前記各受光ピクセルに発生したピクセル電荷を所謂点順次走査読出して、各ピクセル電荷に相当するピクセル信号Ｓを時系列的に出力する。そして、サンプルホールド回路４が、各ピクセル信号Ｓを標本化し、Ａ／Ｄ変換器６が、受光ピクセル毎のピクセルデータＰに数値化し、画像メモリ８が、カラーＣＣＤ２の受光ピクセルの配列に対応させて各ピクセルデータＰを記憶することにより、前記１フレーム画相当の静止画データを一旦保持する。
【００１４】
更に、演算部１２が、画像メモリ８中に一旦記憶された前記静止画データを各ピクセルデータＰ毎に読出すと共に、不揮発性メモリ１０に記憶されているラインクロール除去係数ＬＣに基づいてこれらのピクセルデータＰを補正処理することによって、ラインクロールの除去されたピクセルデータＶを前記カラーＣＣＤ２の受光ピクセルの配列に対応させて出力する。そして、ピクセルデータＶを所謂半導体メモリカードに記憶させたり、モニタテレビジョン等の表示手段に供給することによって静止画像を再生させる。尚、演算部１２は、前記２次元撮像の開始からピクセルデータＶの出力の完了までの一連の静止画撮影処理を、プログラムメモリ１４中の所定プログラムを実行することによって実現する。
【００１５】
次に、前述したラインクロール除去処理の原理及び作動を図２ないし図４と共に詳述する。
【００１６】
カラーＣＣＤ２に２次元配列にて形成されている受光ピクセルの受光面には、図２に示す如く、シアン（Ｃｙ）、イエロー（Ｙｅ）、マゼンタ（Ｍｇ）及びグリーン（Ｇ）の微細な補色カラーフィルタが市松配列されて成るカラーフィルタが設けられている。即ち、夫々の微細な補色カラーフィルタが各受光ピクセルに対向して設けられており、撮像時には、各受光ピクセルに微細な各補色カラーフィルタに対応したピクセル電荷が発生する。よって、同図２に示す２Ｎ×Ｍ個の受光ピクセルが設けられているものとすると、（２×Ｎ×Ｍ）個分のピクセル電荷が発生する。
【００１７】
一方、カラーＣＣＤ２が、前記の点順次走査読出しを行う際には、（２×Ｎ×Ｍ）個分のピクセル電荷を個別独立に読出すのではなく、図３に示す如く、列方向（変数ｎにて示す縦方向）において相互に隣接する一対ずつのピクセル電荷同士を混合し、夫々の混合電荷を新たな各ピクセル電荷として読出す。したがって、カラーＣＣＤ２から出力される各ピクセル信号Ｓを、図３中のＮ列Ｍ行のマトリックス配列（即ち、１≦ｎ≦Ｎ、１≦ｍ≦Ｍの関係にある変数ｎ，ｍにて表される配列）にて示すと、図２中の微細な各補色カラーフィルタに対応して、    Ｓ1,1 ＝Ｃｙ＋Ｍｇ、Ｓ1,2 ＝Ｙｅ＋Ｇ、  ……、Ｓ1,M ＝Ｙｅ＋Ｇ
Ｓ2,1 ＝Ｃｙ＋Ｇ、  Ｓ2,2 ＝Ｙｅ＋Ｍｇ、……、Ｓ2,M ＝Ｙｅ＋Ｍｇ
：                ：                      ：
ＳN,1 ＝Ｃｙ＋Ｇ、  ＳN,2 ＝Ｙｅ＋Ｍｇ、……、ＳN,M ＝Ｙｅ＋Ｍｇ
となり、列方向における解像度が実際の受光ピクセルのそれよりも２分の１になる。そして、画像メモリ８にも、これら（Ｎ×Ｍ）個のピクセル信号Ｓn,m に相当するピクセルデータＰn,m が記憶される。
【００１８】
次に、このようにして画像メモリ８に記憶されたピクセルデータＰn,m について、各列ｎにおける相互に隣接関係にあるピクセルデータ同士を加算演算することにより、各受光ピクセルに対応する輝度データＹを求める。即ち、各列ｎにおける各ピクセルデータをＰn,m 、各輝度データをＹn,m とすれば、
Ｙn,m ＝Ｐn,m ＋Ｐn,m+1
の式で表される演算を行う。より具体的に示せば、図３に示すピクセルデータＰn,m に対応して得られる各輝度データＹn,m は、図４に示す如く、
Y 1,1 ＝P 1,1 ＋P 1,2 、Y 1,2 ＝P 1,2 ＋P 1,3 、……、P 1,M-1 ＝P 1,M-1 ＋P 1,M
Y 2,1 ＝P 2,1 ＋P 2,2 、Y 2,2 ＝P 2,2 ＋P 2,3 、……、P 2,M-1 ＝P 2,M-1 ＋P 2,M
：                ：                        ：
Y N,1 ＝P N,1 ＋P N,2 、Y N,2 ＝P N,2 ＋P N,3 、……、P N,M-1 ＝P N,M-1 ＋P N,M
となり、Ｎ×（Ｍ−１）個の各受光ピクセルに対応する輝度データＹn,m が求められる。
【００１９】
したがって、各受光ピクセルに対応する各輝度データは、結果的に、相互に隣接する４個の受光ピクセルに発生したピクセル電荷の混合値に相当することになり、必ず、シアン（Ｃｙ）とイエロー（Ｙｅ）とマゼンタ（Ｍｇ）及びグリーン（Ｇ）のピクセル電荷を混合したものとなる。図２に示すカラーフィルタ配列を用いて典型例を説明すれば、配列（ｎ，ｍ）＝（１，１）に対応する輝度データＹ1,1 は、配列（１，１），（１，２）におけるＣｙ、Ｙｅ、Ｍｇ及びＧのピクセル電荷の混合値となり、配列（ｎ，ｍ）＝（１，２）に対応する輝度データＹ1,2 は、配列（１，２），（１，３）におけるＣｙ、Ｙｅ、Ｍｇ及びＧのピクセル電荷の混合値となり、他の輝度データも同様にして求められる。
【００２０】
尚、かかる各輝度データＹn,m を求めるための演算手法は、一般的なテレビジョン技術における輝度信号Ｙの演算手法（即ち、Ｙ＝０．３Ｒ＋０．５９Ｇ＋０．１１Ｂ）とは異なるが、輝度データＹn,m は上記輝度信号Ｙに近似した値となる。
【００２１】
次に、このようにして求められた各輝度データＹn,m に対して、不揮発性メモリ１０から読出したラインクロール補正係数ＬＣを乗算（掛け算）することにより、ラインクロール除去のための処理を行う。
【００２２】
このラインクロール補正係数ＬＣは、次に述べる技法により予め求められている。即ち、標準的な撮影環境を想定した所定色温度の均一光源下で無模様且つ一色の被写体を、本実施の形態に係る電子スチルカメラと同特性の基準の電子スチルカメラにて撮像し、図２ないし図４と共に説明した原理に基づいて、基準となる各輝度データＹn,m を求める。そして、図４に示す奇数列ｎ＝１，３，５，７，…に該当する全ての輝度データの加算平均値を演算してこれを奇数水平ライン輝度平均値ＹＡＶODD とする。
【数１】
0003755921.tif 000002
尚、前記数１中のｎ＝ＯＤＤとは、ｎが各奇数列を表す変数であることを意味する。
【００２３】
更に、図４に示す偶数列ｎ＝２，４，６，８，…に該当する全ての輝度データの加算平均値を演算してこれを偶数水平ライン輝度平均値ＹＡＶEVENとする。
【数２】
0003755921.tif 000003
尚、前記数２中のｎ＝ＥＶＥＮとは、ｎが各偶数列を表す変数であることを意味する。
【００２４】
そして、奇数水平ライン輝度平均値ＹＡＶODD と偶数水平ライン輝度平均値ＹＡＶEVENとの比を、ラインクロール補正係数ＬＣとする。
【数３】
0003755921.tif 000004
即ち、ラインクロール補正係数ＬＣは、カラーＣＣＤ２の奇数列に該当する受光ピクセル群の平均的感光特性と偶数列に該当する受光ピクセル群の平均的感光特性の相対比を表すことになる。
【００２５】
このようにして求められたラインクロール補正係数ＬＣは、製造される各電子スチルカメラの不揮発性メモリ１０に、標準のデータとして記憶される。
【００２６】
再び、図１に示す実際の電子スチルカメラにおけるラインクロール除去処理について説明すると、前述の如く実際の撮像時に各輝度データＹn,m を求めた後、図４に示す偶数列ｎ＝２，４，６，８…に該当する各輝度データ（以下、ＹEVENn,m で示す）にラインクロール補正係数ＬＣを夫々乗算し、一方、奇数列ｎ＝１，３，５，７…該当する各輝度データ（以下、ＹODD n,m で示す）にはラインクロール補正係数ＬＣを乗算することなく、そのままにする。
【００２７】
このように、偶数列に該当する各輝度データＹEVENn,m についてラインクロール補正係数ＬＣを夫々乗算すると、前記奇数列の平均的感光特性を基準として、各輝度データＹEVENn,m の輝度レベルが補正されることとなり、一方、奇数列に該当する各輝度データＹODD n,m はラインクロール補正係数ＬＣにて補正するまでもなく、各輝度データＹEVENn,m に対する基準となっているので、奇数列及び偶数列の全ての輝度データＹn,m についてラインクロールの除去処理が実施されることとなる。
【００２８】
そして、ラインクロール除去処理がなされた後の輝度データＹn,m が出力ピクセルデータＶとして出力される。
【００２９】
以上の説明では、奇数列に該当する輝度データＹODD n,m を基準として、偶数列に該当する輝度データＹEVENn,m にラインクロール補正係数ＬＣを乗算することによって、全体としてラインクロールの除去を実現しているが、逆に、偶数列に該当する輝度データＹEVENn,m を基準として、奇数列に該当する輝度データＹODD n,m をラインクロール補正係数ＬＣで除算（割り算）することによって、全体としてラインクロールの除去を図るようにしてもよい。また、ラインクロール補正係数ＬＣで除算（割り算）する代わりに、１／ＬＣの値をラインクロール補正係数として、奇数列に該当する輝度データＹODD n,m に１／ＬＣの値を乗算するようにしてもよい。
【００３０】
また、以上の説明では、前記数１ないし数３にて説明した如く、まず輝度データＹn,m を求めた後に、奇数水平ライン輝度平均値ＹＡＶODD と偶数水平ライン輝度平均値ＹＡＶEVENとの比からラインクロール補正係数ＬＣを決めることとしているが、図３において説明したピクセルデータＰ1,1 〜ＰN,M から直接に奇数水平ライン輝度平均値ＹＡＶODD と偶数水平ライン輝度平均値ＹＡＶEVENとを求めて、ラインクロール補正係数ＬＣを決めてもよい。要は、前記数１ないし数３と実質的に同じアルゴリズムにて、ラインクロール補正係数ＬＣを決めてもよい。
【００３１】
このように、この実施の形態によれば、カラーＣＣＤ２のピクセル相互間での感光特性のバラツキに起因するラインクロールの発生を除去することがきるので、特に、高画質の静止画を提供することができることから、電子スチルカメラに適用して優れた効果を発揮する。尚、動画撮像を行うカメラ、例えば、デジタルビデオカメラなどに適用しても当然に高品位の動画を提供することができる。
【００３２】
また、ラインクロールの除去が好適になされるので、従来技術のような画質の低下を招来せずに、各種の画像処理を行うことができる。
【００３３】
また、プログラムによる演算処理にて、ラインクロール除去処理を行うので、特別なハードウェアを付加することなく、高品位静止画撮影が可能な電子スチルカメラを提供することができる。
【００３４】
また、予め記憶したラインクロール補正係数ＬＣによりラインクロール除去のための演算処理を行うので高速処理を可能にする等、多くの優れた効果を発揮する。
【００３５】
（第２の実施の形態）
次に、図５と共に他の実施の形態を説明する。尚、この実施の形態は、電子スチルカメラに関し、図５において図１と同一又は相当する部分を同一符号にて示すものとする。
【００３６】
図５において、この電子スチルカメラは、第１の実施の形態と同様に、カラーＣＣＤ２から点順次走査読出しにて出力されるピクセル信号Ｓを、サンプルホールド回路４及びＡ／Ｄ変換器６によってピクセルデータＰにデジタル変換して画像メモリ８に記憶させる構成を有している。更に、ラインクロール補正係数ＬＣを予め記憶する不揮発性メモリ１０と、マイクロプロセッサＭＰＵを備える演算部１２と、所定のプログラムを予め記憶するプログラムメモリ１４と、例えば所謂パーソナルコンピュータ等の外部ホストコンピュータ１８相互間での接続を可能にして相互間での各種データの授受等を行うインタフェース回路１６が備えられている。
【００３７】
尚、演算部１２が、プログラムメモリ１４中に予め記憶されている通信プログラムに基づいてインタフェース回路１６を制御することにより、外部ホストコンピュータ１８間でのデータ授受を行わせる。
【００３８】
外部ホストコンピュータ１８には、当該電子スチルカメラとの間での上記データ授受を行うための所謂通信プログラムと、第１の実施の形態において説明したラインクロール除去処理のための処理プログラム、その他、画像再生に必要な種々の画像処理プログラムが記憶されている。これらのプログラムはフロッピーディスクＦＤやコンパクトディスクＣＤ等の外部記憶媒体２０により供給され、所定のインストール処理が実行されることによって外部ホストコンピュータ１８に記憶される。
【００３９】
次に、かかる構成を有する第２の実施の形態の動作を説明する。
シャッタレリーズボタン（図示せず）の操作に連動してカラーＣＣＤ２による静止画撮像を開始した後、カラーＣＣＤ２から点順次走査読出しによってピクセル信号Ｓを出力すると共に、サンプルホールド回路４ないしＡ／Ｄ変換器６により、ピクセル信号ＳをピクセルデータＰにデジタル変換して画像メモリ８に記憶する。従って、前記図３に示す如く、各ピクセルデータＰn,m が配列（ｎ，ｍ）に対応して画像メモリ８に記憶される。
【００４０】
また、撮像時には、かかるピクセルデータＰn,m を画像メモリ８に記憶する処理だけが行われる。
【００４１】
このように画像メモリ８にピクセルデータＰn,m が記憶された後、ユーザー等がこの電子スチルカメラに設けられている所定の操作ボタンを操作したり、外部ホストコンピュータ１８を介して画像再生を指示すると、演算部１２がこれを検知し、画像メモリ８中のピクセルデータＰn,m 及び不揮発性メモリ１０中のラインクロール補正係数ＬＣを、インタフェース回路１６を介して外部ホストコンピュータ１８へ転送させる。
【００４２】
かかる転送処理により、外部ホストコンピュータ１８にピクセルデータＰn,m 及びラインクロール補正係数ＬＣが記憶される。外部ホストコンピュータ１８は、図４と共に説明した輝度データ演算処理を行うことによって、ピクセルデータＰn,m に基づいて輝度データＹn,m を求め、更に、ラインクロール除去処理のための処理プログラムを実行して、第１の実施の形態で説明したのと同様に、輝度データＹn,m に対してラインクロール補正係数ＬＣを乗算等することにより、ラインクロールを除去し得る輝度データを求める。そして、かかる補正後の輝度データに基づいて各種の画像処理を行い、画像処理後の画像データをモニター等に供給することによって、静止画像を再生表示させる。
【００４３】
このように、この実施の形態によれば、ラインクロール除去処理の為のプログラムを外部ホストコンピュータ１８に持たせるようにしたので、電子スチルカメラ側でのプログラム記憶の為の負担の軽減、より具体的には、プログラムメモリ１４の記憶容量の低減を図ることができる。
【００４４】
また、外部ホストコンピュータ１８における様々な画像処理を可能にして、所謂コンピュータグラフィックスの分野での広範な応用を可能にする等の効果を発揮する。
【００４５】
尚、この第２の実施の形態では、プログラムメモリ１４には、ラインクロール除去処理のための処理プログラムを記憶しない場合を説明したが、かかる処理プログラムと前記通信処理プログラムの両者を予めプログラムメモリ１４に記憶しておき、ユーザー等がいずれかの処理を選択することによって、当該電子スチルカメラ内又は外部ホストコンピュータ１８においてラインクロール除去処理を行うことができるようにしてもよい。
【００４６】
（第３の実施の形態）
前記第１、第２の実施の形態においては、補色市松配列のカラーフィルタが適用されたカラーＣＣＤ２を利用した電子スチルカメラについて説明したが、更に他の実施の形態として、図６に示す如き、原色ベイヤー配列のカラーフィルタを適用した撮像デバイスを利用する場合を説明する。尚、電子スチルカメラの構成は、図１又は図５と同様であり、詳細な構成は省略する。
【００４７】
原色ベイヤー配列の撮像デバイスにおけるラインクロールは、主としてグリーン（Ｇb ），（Ｇr ）の微細カラーフィルタの設けられた受光ピクセルに生じるピクセル電荷の差に起因して発生する。即ち、赤（Ｒ）と同じ水平画素列上のグリーン（Ｇr ）と、青（Ｂ）と同じ水平画素列上のグリーン（Ｇb ）に対応する受光ピクセルに生じるピクセル電荷の差に起因する。
【００４８】
また、原色ベイヤー配列を適用したカラーＣＣＤの場合には、前記補色市松配列を適用したカラーＣＣＤの場合とは異なり、相互に隣接関係にある２列ずつのピクセル電荷を加算混合して出力するという技法は採用されず、個々の受光ピクセルと一対一に対応したピクセル信号を出力する、所謂全画素読出し方式が採用される。
【００４９】
したがって、ラインクロール補正係数ＬＣは、均一光源を用いた撮像時に、グリーン（Ｇr ）に該当する全てのピクセルデータＰGrの加算平均値Ｇr AVと、グリーン（Ｇb ）に該当する全てのピクセルデータＰGbの加算平均値Ｇb AVとを求め、更に、次の演算式にて示す如く、これらの加算平均値Ｇr AVとＧb AVとの比をラインクロール補正係数ＬＣとし、かかるラインクロール補正係数ＬＣを所定の不揮発性メモリに予め記憶しておく。
【００５０】
ＬＣ＝Ｇr AV／Ｇb AV
そして、実際の撮像により得られるグリーン（Ｇb ）に該当する各々のピクセルデータＰGbにこのラインクロール補正係数ＬＣを乗算し、他方のグリーン（Ｇr ）に該当する各々のピクセルデータＰGrはそのままにすることによって、全体としてラインクロールを除去する。
【００５１】
尚、かかるラインクロール補正係数ＬＣは、グリーン（Ｇr ）を基準にしたものであるが、グリーン（Ｇb ）を基準にしてもよい。この場合には、実際の撮像により得られるグリーン（Ｇr ）に該当する各々のピクセルデータＰGrをラインクロール補正係数ＬＣで除算するか、１／ＬＣの係数を乗算する。
【００５２】
このようにベイヤー配列を適用した場合でも、ラインクロールを除去することができ、高品位の画像を提供することができる等の効果を発揮する。
【００５３】
第１ないし第３の実施の形態では、撮像デバイスの全ての受光ピクセルから得られるピクセルデータに基づいてラインクロール補正係数ＬＣを求める場合を示したが、撮像デバイスの受光領域中のある特定の一部受光領域に該当する受光ピクセルから得られるピクセルデータに基づいてラインクロール補正係数ＬＣを求めるようにしてもよい。例えば、受光領域の中心から所定の範囲内に存在する受光ピクセルから得られるピクセルデータに基づいてラインクロール補正係数ＬＣを求めるようにしてもよい。
【００５４】
第１ないし第３の実施の形態では、補色市松配列と原色ベイヤー配列の場合につて説明したが、その他の種類のカラーフィルタ配列のものや、イメージスキャナ等に用いられるラインセンサについても、ラインクロール発生の態様を把握し、ラインクロール補正係数を各態様に見合った形で導出することにより、本発明を適用することができる。即ち、ラインセンサをも含む撮像デバイスの受光ピクセルの感光特性がカラーフィルタ等に起因して不均一である場合に、前記各実施の形態のように、輝度信号レベルが不均一となる態様等、ラインクロール発生の態様を把握し、そして、感光特性がほぼ同じ受光ピクセル同士のグループに区分して、夫々のグループの受光ピクセル群より得られる信号の加算平均値を求め、各加算平均値の比をラインクロール除去のためのラインクロール補正係数とすることにより、本発明を種々の撮像デバイスのラインクロール除去に適用することができる。
【００５５】
【発明の効果】
以上に説明したように本発明によれば、感光特性のほぼ等しい受光ピクセル毎に区分化（分類化）し、区分化された受光ピクセル同士の信号の加算平均値を求めて、夫々の加算平均値の比をラインクロール補正係数とし、かかるラインクロール補正係数に基づいて、各受光ピクセルより出力される信号のレベルを補正するようにしたので、カラーフィルタ等に起因して受光ピクセルの感光特性が相違しても、各受光ピクセルより出力される信号のレベルが上記ラインクロール補正係数により感光特性を実質的に均一化することができる。したがって、再生画像のラインクロール発生を防止することができ、高品位の画像を提供することができる。特に、静止画撮像を行う電子スチルカメラ等に適用することによって優れた効果を発揮する。さらに、予め記憶したラインクロール補正係数によりラインクロール除去のための演算処理を行うので高速処理を可能にできる。
【図面の簡単な説明】
【図１】第１の実施の形態に係る電子スチルカメラの構成を示すブロック図である。
【図２】補色市松配列のカラーフィルタの構成を説明するための説明図である。
【図３】第１の実施の形態にかかる電子スチルカメラにおいて、ピクセルデータの形成原理を説明するための説明図である。
【図４】第１の実施の形態にかかる電子スチルカメラにおいて、輝度データの形成原理を説明するための説明図である。
【図５】第２の実施の形態に係る電子スチルカメラ及び外部機器の構成を説明するためのブロック図である。
【図６】原色ベイヤー配列のカラーフィルタの構成を示す説明図である。
【符号の説明】
２…カラーＣＣＤ、４…サンプルホールド回路、６…Ａ／Ｄ変換器、８…画像メモリ、１０…不揮発性メモリ、１２…演算部、１４…プログラムメモリ、１６…インタフェース回路、１８…外部ホストコンピュータ、２０…外部記憶媒体。
【図１】
0003755921.tif 000005
【図２】
0003755921.tif 000006
【図３】
0003755921.tif 000007
【図４】
0003755921.tif 000008
【図５】
0003755921.tif 000009
【図６】
0003755921.tif 000010